(57)【要約】      （修正有）【課題】床仕上げ板を用いるシート防水工法の浮く床構造において防水構造を２重にして雨水による防水シートの劣化、支持架台等部材のサビや劣化を防止し防水性を長期間確保すると共に、支持架台の防水下地への固定の信頼性を高め、施工コストを低減することができる浮き床構造。【解決手段】防水下地１に熱可塑性樹脂製防水シート２を敷き並べ、該熱可塑性樹脂製防水シート上の所定位置に、台座３１及び該台座から立設したボルト部３２からなり台座及びボルト部下部を熱可塑性樹脂で被覆した支持架台３を防水下地に固定し、増し張りシート５で上記支持架台の台座を覆い、該増し張りシートと上記熱可塑性樹脂製防水シート及び上記支持架台の台座とを溶着し、パネル受け具６を上記支持架台のボルト部に螺合し、表面に溶着樹脂層８１を有する複合パネル８を該パネル受け具に固定し、隣り合う上記複合パネルの間を防水処理する浮き床構造とした。【選択図】図１
2010037909.tif 000002
【特許請求の範囲】
【請求項１】
防水下地に熱可塑性樹脂製防水シートを敷き並べ、該熱可塑性樹脂製防水シート上の所定位置に、台座及び該台座から立設したボルト部からなり台座及びボルト部下部を熱可塑性樹脂で被覆した支持架台を、架台固定ビスで該熱可塑性樹脂製防水シートを貫通して防水下地に固定すると共に該熱可塑性樹脂製防水シートを防水下地に固定し、
増し張りシートで上記支持架台の台座を覆い、該増し張りシートと上記熱可塑性樹脂製防水シート及び上記支持架台の台座とを溶着し、
内側にメネジ部を有するパネル受け具を上記支持架台のボルト部に螺合し、表面に溶着樹脂層を有する複合パネルを該パネル受け具に固定し、
隣り合う上記複合パネルの間を防水処理することを特徴とする浮き床構造。
【請求項２】
防水下地に熱可塑性樹脂製防水シートを敷き並べ、該熱可塑性樹脂製防水シート上の所定位置に、台座及び該台座から立設したボルト部からなり台座及びボルト部下部を熱可塑性樹脂で被覆した支持架台を、架台固定ビスで該熱可塑性樹脂製防水シートを貫通して防水下地に固定すると共に該熱可塑性樹脂製防水シートを防水下地に固定し、
増し張りシートで上記支持架台の台座を覆い、該増し張りシートと上記熱可塑性樹脂製防水シート及び上記支持架台の台座とを溶着し、
パネル用長尺受け具を複数の上記支持架台のボルト部に固定し、表面に溶着樹脂層を有する複合パネルを該パネル用長尺受け具に固定し、隣り合う上記複合パネルの間を防水処理することを特徴とする浮き床構造。
【発明の詳細な説明】
【技術分野】
【０００１】
コンクリート系防水下地のシート防水工法において、床仕上げ板（本発明では複合パネルに該当する）を防水シート上に浮かして施工する浮き床構造に関する。
【背景技術】
【０００２】
従来、ビルの屋上はアスファルト防水の上に、コンクリートを流し込んだシンダー押さえ工法が主流であったが、近年の石油価格高騰と環境問題から、アスファルト防水シンダー押さえ工法が敬遠されつつあり、それに変わる塩ビシート防水シンダー押さえ工法が増える方向にある。また、最近では防水層の上に保護層としてのコンクリートを打設しない乾式の押さえ工法、浮き床工法などが提案されている。
【０００３】
一般に、シート防水工事ではコンクリート系防水下地に防水シートを接着剤により接着固定、或いは固定金具を用いて機械的固定した後、隣り合った防水シート同士を接合して防水シートが施工される。上記乾式の押え工法は、施工された防水シート上に、１〜５ｍｍ厚みの発泡ポリエチレンシート、ポリエステル繊維やポリプロピレン繊維系の不織布、ポリエチレンを発泡させた格子状ネット等の緩衝材を敷設後、その上に、コンクリート系成形品、セラミック系焼成品、木質系品等の化粧兼歩行保護用床仕上げ板を、複数枚敷き並べていくものである。この乾式の押え工法で、防水シートを機械的固定する場合は、その固定金具の位置に上記床仕上げ板が載ると、段差によりガタツキが生じその調整をするために過大な手間が掛かり、さらに歩行等により床仕上げ板が損傷するなどの問題点も生じる。また、防水シートを機械的固定する押え工法では、下地の不陸を拾いやすく仕上がり状態も好ましいものではないという問題点がある。
【０００４】
上記浮き床工法は、上述のように施工した防水シート上の所定位置に床仕上げ板設置用の高さ調整付き支持架台を載置或いは固定し、その支持架台に床仕上げ板を固定するものである。図５の如く支持架台は防水シート上に碁盤目のように配置され、１つの支持架台には４つの床仕上げ板の隅が載り、床仕上げ板の４隅がすべて別の支持架台に載るようにする。この浮き床工法では、表面はフラットとなり上述の押え工法に比べてきれいに仕上がるが、この工法は押え工法と比べると、防水シートを防水下地に施工して、それから支持架台を防水下地に固定し、さらに床仕上げ板を支持架台に固定するため、使用する部材、施工の工数が増えてコスト的に割高に成ってしまうという欠点があり、さらに、床仕上げ板面での防水は考慮されておらず、降雨時には防水シート面まで雨水が入ってくるため、防水シートと床仕上げ板との空間は高湿の状態になり易く、防水シートの劣化、支持架台等部材のサビや劣化が懸念され耐久性に課題が残る。
【０００５】
浮き床工法では、床仕上げ板の固定部が仕上げ板の上面を突出しない固定工法（特許文献１）、防水シートに穴を開けずに支持部材を固定する方法（特許文献２）が提案されている。特許文献１の方法は床仕上げ板の側面に溝を設け、この溝に固定部を収納して固定部が仕上げ板の上面を突出しないようにしたものであり、特許文献２の方法は支持架台の下面に接合部材を設け、下地に施工された防水シートにこの接合部材を溶着して防水シートに孔を開けることなく支持架台を下地に固定する方法である。上述したような浮き床工法の問題点、すなわち使用する部材の削減、施工工数の低減、雨水による防水シートの劣化、支持架台等部材のサビや劣化については検討されておらず、開発が望まれている。
【特許文献１】特開２００１−１７３２０４号公報
【特許文献２】特開２００４−２８５６１４号公報
【発明の開示】
【発明が解決しようとする課題】
【０００６】
本発明は、上記の問題点に鑑みてなされたもので、床仕上げ板を用いるシート防水工法において防水構造を２重にすることにより、雨水による防水シートの劣化、支持架台等部材のサビや劣化を防止し防水性を長期間確保すると共に、使用される部材及び施工工数を削減し、結果として施工コストを低減することができる浮き床構造を提供することにある。
【課題を解決するための手段】
【０００７】
斯かる目的を達成するために本発明の講じた手段は、防水下地に熱可塑性樹脂製防水シートを敷き並べ、該熱可塑性樹脂製防水シート上の所定位置に、台座及び該台座から立設したボルト部からなり台座及びボルト部下部を熱可塑性樹脂で被覆した支持架台を、架台固定ビスで該熱可塑性樹脂製防水シートを貫通して防水下地に固定すると共に該熱可塑性樹脂製防水シートを防水下地に固定し、
増し張りシートで上記支持架台の台座を覆い、該増し張りシートと上記熱可塑性樹脂製防水シート及び上記支持架台の台座とを溶着し、
内側にメネジ部を有するパネル受け具を上記支持架台のボルト部に螺合し、表面に溶着樹脂層を有する複合パネルを該パネル受け具に固定し、
隣り合う上記複合パネルの間を防水処理することを特徴とする浮き床構造としたことであり（請求項１）、
防水下地に熱可塑性樹脂製防水シートを敷き並べ、該熱可塑性樹脂製防水シート上の所定位置に、台座及び該台座から立設したボルト部からなり台座及びボルト部下部を熱可塑性樹脂で被覆した支持架台を、架台固定ビスで該熱可塑性樹脂製防水シートを貫通して防水下地に固定すると共に該熱可塑性樹脂製防水シートを防水下地に固定し、
増し張りシートで上記支持架台の台座を覆い、該増し張りシートと上記熱可塑性樹脂製防水シート及び上記支持架台の台座とを溶着し、
パネル用長尺受け具を複数の上記支持架台のボルト部に固定し、表面に溶着樹脂層を有する複合パネルを該パネル用長尺受け具に固定し、隣り合う上記複合パネルの間を防水処理することを特徴とする浮き床構造としたことである（請求項２）。
【発明の効果】
【０００８】
本発明によれば、従来のように防水シートを下地に接着剤、固定金具などで固定してから、支持架台を下地に固定する２工程は必要なく、１工程で済む。すなわち、支持架台の台座で防水シートを固定するので、防水シートと支持架台の下地への固定を１工程で同時に行うことができ、部材の削減、工数の低減が図れる。また、支持架台の台座とボルト部下部が熱可塑性樹脂で被覆されているため、増し張りシートで支持架台の台座及び防水シートとに加熱溶着または溶剤溶着することができ、その接合は強化され、防水性が充分に確保できる。加えて、隣り合う複合パネルの間を防水処理することにより、防水シート面での防水、複合パネル表面での防水と防水構造を２重にし、雨水による防水シートの劣化、支持架台等部材のサビや劣化を防止し防水性を長期間確保することができる。
さらに、複数の支持架台とパネル用長尺受け具が連結する形態においては、浮き床構造の局所に風圧などの負圧がかかったとしても、複数の支持架台がパネル用長尺受け具により連結しているため、負圧は複数の支持架台に分散されるので、防水下地への支持架台固定の信頼性が高まる。また、パネル用の受け具が長尺であるため、複合パネルはパネル用長尺受け具のどの位置にも固定できて支持架台部分で固定する必要はなくなり、施工が容易にできるようになる。
【発明を実施するための最良の形態】
【０００９】
本発明の浮き床構造ついて実施の形態を、図面を参照して詳しく説明する。
【００１０】
［実施の形態１］
図１に実施の形態１を示す。
この浮き床構造は、コンクリート系の防水下地１に熱可塑性樹脂製防水シート２を敷き並べ、熱可塑性樹脂製防水シート２上の所定位置において、台座３１と熱可塑性樹脂製防水シート２との間に粘着テープ４を貼り合わせた状態で、架台固定ビス３１２により熱可塑性樹脂製防水シート２を貫通して台座３１及び台座から立設したボルト部３２からなる支持架台３を防水下地１に固定し、
図８のように、略中央にボルト部３２の外径より大きな穴５１の開いた増し張りシート５を、穴５１にボルト部３２を通して台座３１を覆うように載せ、増し張りシート５を台座３１と熱可塑性樹脂製防水シート２とに加熱溶着、溶剤溶着等で溶着し、
パネル受け具６のナット部６２のメネジを支持架台３のボルト部３２に螺合して、パネル受け具６の高さ調整を行い、パネル受け具６の受け部６１に複合パネル７を載せ、パネル固定ビス６３で表面に溶着樹脂層８１を有する複合パネル８を該パネル受け具６に固定し、
隣り合う複合パネル８の突合せ目地部に増し張り防水シート９より幅の狭い緩衝目地テープ９１を貼った後、増し張り防水シート９で覆い増し張り防水シート９と複合パネル８とを溶着して防水処理を施した構成である。
支持架台３は熱可塑性樹脂製防水シート２の上に図５の如く碁盤目状に所要位置に所要個数載置され、それぞれ防水下地１に固定される。図５では、支持架台３の縦方向と横方向の間隔は同寸法になっているが、複合パネル８が長方形状の場合に対応できるように縦方向と横方向の間隔を異なった設定にしてもよい。複合パネル８は４隅を４つの支持架台３で固定され、１つの支持架台３には４つの複合パネル８のそれぞれ１隅が固定されるようにする。
【００１１】
上記熱可塑性樹脂製防水シート２としては、塩化ビニル樹脂系防水シート、オレフィン樹脂系防水シート、アクリル樹脂系防水シート等が使用できる。塩化ビニル樹脂系防水シートが、施工性、シート同士の溶着性、防水シート固定金具との密着性の点から好ましい。熱可塑性樹脂製防水シートの厚さとしては、０．５〜５．０ｍｍのものが使用でき、１．０〜２．５ｍｍが好ましい。
【００１２】
上記支持架台３は図８に示すように、台座３１及び台座３１から立設したボルト部３２からなり、台座３１には防水下地に固定するためのビス穴３１１を複数個設けてある。台座３１とボルト部３２は接着剤、溶接等で簡単に一体化することができるが、台座３１にネジ切りしボルト部３２を螺合してから溶接すると強度が向上する。
支持架台３の材質としては、金属、高強度の熱可塑性樹脂、熱硬化性樹脂などが使用でき、強度面からは金属がよく、中でも鋼材が良い。鋼材を使用する場合、ボルト部３２の径は５〜３０ｍｍがよく、強度とコストを考慮すると１０〜２０ｍｍがより好ましい。ボルト部３２の長さは５０〜１００ｍｍのものが使用される。台座３１の厚さは、鋼材を使用する場合、１．０〜１０ｍｍがよく、強度とコストを考慮すると１．６〜６．０ｍｍがより好ましく、２．０〜４．０ｍｍがさらに好ましい。台座３１の外径は５０〜１５０ｍｍのものが使用される。台座３１の外径が５０ｍｍより小さいと支持架台３の収まりが不安定となり、１５０ｍｍを越えると溶着の手間が掛かり強度的にも飽和し意味が無くなる。
被覆樹脂層３３として、支持架台３及びボルト部３２下部の５〜１０ｍｍ部分を熱可塑性樹脂で被覆する必要があり、被覆樹脂層３３の厚みは０．１〜３ｍｍがよい。被覆する熱可塑性樹脂は、増し張りシート５、熱可塑性樹脂製防水シート２と同質または同種の溶着しやすい樹脂がよく塩化ビニル系樹脂、オレフィン系樹脂、アクリル系樹脂が好ましい。台座３１は図８には円形のものを示すが、円形に限定されるものではなく多角形その他の形状でも構わない。
架台固定ビス３１２により熱可塑性樹脂製防水シート２を貫通して支持架台３を防水下地１に固定する際、必ずしも必要とするものではないが図１に示すごとく台座３１と熱可塑性樹脂製防水シート２との間に粘着テープ４を貼り合わせることがよく、このことにより防水性が一段と向上する。粘着テープ４としては、ブチル系、アクリル系、エチレン−酢酸ビニル共重合樹脂（ＥＶＡ）系などの片面又は両面粘着テープがあるが、防水性の点ではブチル系両面粘着テープが好ましい。
【００１３】
上記増し張りシート５は、支持架台部分の熱可塑性樹脂製防水シート２の防水性を確保するために増し張りされるシートで、支持架台３の台座３１と熱可塑性樹脂製防水シート２とに溶着されるシートであるため、台座３１及びボルト部３２下部の被覆樹脂層３３及び熱可塑性樹脂製防水シート２と同質または同種の溶着しやすい樹脂（塩化ビニル系樹脂、オレフィン系樹脂、アクリル系樹脂等）から形成することが好ましい。増し張りシート５を台座３１と熱可塑性樹脂製防水シート２とに溶着した後、図１に示すように増し張りシート５とボルト部の隙間、熱可塑性樹脂製防水シート２に接する増し張りシート５端部をシーラーＡ５２で防水処理するとよい。シーラーＡ５２としては、被覆樹脂層３３、熱可塑性樹脂製防水シート２、増し張りシート５と同質または同種の樹脂からなるシーラー、或いはウレタン系、変性シリコン系、シリコン系、ブチル系などのシーラーが挙げられる。
【００１４】
上記パネル受け具６は、内側にメネジを有するナット部６２と受け部６１とからなり、複合パネル８を受け部６１で直接支える部材であり、ナット部６２が支持架台のボルト部３２に螺合し高さ調整することが可能になっている。パネル受け具６の受け部６１とナット部６２の形状は円形、多角形のものがよく、他の形状のものも使用できる。
パネル受け具６は、ナット部６２として３０〜１００ｍｍの長尺ナットを用い受け部６１としての厚さ１〜５ｍｍで適宜大きさの鋼板をナット部に溶接して形成してもよく、鋼板をビスでナット部６２のメネジに螺合して形成してもよく（図１はこの形状のパネル受け具６を示す）、ビスで螺合した上に溶接しても良い。また、他の方法でも同形状に形成できればよい。
パネル受け具６の受け部６１には、パネル固定ビス用のネジ切が少なくとも４箇所施されており、複合パネル８を固定できるようになっている。
【００１５】
パネル受け具６の緩み防止のため、支持架台３のボルト部３２又はパネル受け具６のナット部６２のメネジにエポキシ系接着剤、ウレタン系接着剤などの接着剤を塗布してパネル受け具６の高さ調整をすることが好ましい。
【００１６】
上記複合パネル８は、熱可塑性樹脂製防水シート２の保護と仕上げ材として用いられるものであり、増し張り防水シート９と溶着しやすくするため複合パネル８の表面は溶着樹脂層８１が積層されていることが必要である。溶着樹脂層８１の材質としては、後述する増し張り防水シート９と溶着するため、増し張り防水シート９と同質または同種の樹脂（塩化ビニル系樹脂、オレフィン系樹脂、アクリル系樹脂等）であることが好ましい。
複合パネル８の溶着樹脂層８１を積層する基材としては、セメント板，ケイカル板などの無機板、硬質塩化ビニル,ポリカーボネート，ナイロン，アクリル，ポリプロピレン，フェノール，メラミン，エポキシなど硬質の合成樹脂板、鋼板などの金属板などが挙げられ、これらは単独でも２種以上併用して使用してもよい。好ましくは、スチレンフォーム、硬質ウレタンフォームなどの樹脂製フォームを樹脂被覆した金属板で挟み一体的に形成したものがよい。このような構造の複合パネルを使用すれば、軽量でありながら高い強度も得られ断熱性も高くなる。この場合、複合パネルの金属板として、表面側金属板は樹脂被覆された金属板が増し張りシートとの接合及び耐候・耐蝕上必要であるが、裏面側金属板は亜鉛メッキ鋼板やアルミ・亜鉛・マグネシウム複合メッキ鋼鈑やステンレス鋼鈑やこれらに塗装した鋼鈑でも良い。更には、表面側の樹脂被覆鋼鈑の樹脂は日射反射率の高い樹脂組成のものを使用することが好ましい。
複合パネル８の形状は矩形状であるが長方形のものが好ましく、複合パネル８の寸法は短辺×長辺で３００×１２００〜１２００×２５００ｍｍがよく、６００×１３５０〜９００×１８００ｍｍがより好ましい。複合パネル８の厚さは２０〜７０ｍｍがよく、３０〜５０ｍｍがより好ましい。
支持架台３は複合パネル８の寸法に合わせて所定位置に固定するため、複合パネル８の短辺の寸法が３００ｍｍ未満又は複合パネル８の長辺の寸法が１２００ｍｍ未満では支持架台３の必要数が増しコストアップになり、複合パネル８の短辺の寸法が１２００ｍｍを越えるか又は複合パネル８の長辺の寸法が２５００ｍｍを越えると複合パネル８の強度を確保するため複合パネル８を厚くする必要がありコストアップにつながり好ましくない。
【００１７】
増し張り防水シート９は、図７に示すように隣り合う複合パネル８の短辺側、長辺側の隙間を隠すように複合パネル８上に載置し複合パネル８と溶着し浮き床構造の表面を防水構造とするものである。
増し張り防水シート９を固定する前に、必ずしも必要とするものではないが隣り合う図１に示すように複合パネル８の突合せ目地部に厚みが０．１〜０．２ｍｍ、幅が２０〜５０ｍｍの片面粘着剤付きのポリエチレン、ポリプロピレン製等のフィルムや該フィルムにポリエステル繊維等でクロス補強した緩衝目地テープ９１を貼ることが好ましく、このことにより複合パネル８の動きによって増し張り防水シート９に亀裂が生じることを抑制できる。
増し張り防水シート９の材質としては、熱可塑性樹脂製防水シート２と同様に、塩化ビニル樹脂系、オレフィン樹脂系、アクリル樹脂系等のものが使用でき、増し張り防水シート９は、厚みが１．０〜３．０ｍｍで、幅が８０〜１２０ｍｍで長尺シート状ものが使用される。
【００１８】
上記の架台固定ビス３１２は、熱可塑性樹脂製防水シート２と支持架台３を同時に防水下地に固定するものであり、パネル固定ビス６３は複合パネル８をパネル受け具６に固定するものであり、それぞれ皿、平頭形状等の市販のビスが使用できる。防錆を考慮するとステンレス製のものがよい。
【００１９】
［実施の形態２］
図２に実施の形態２を示す。実施の形態２では、実施の形態１で使用した増し張り防水シート９の替わりに樹脂被覆鋼板１０を使用して防水処理を施す構成である。
パネル受け具６のナット部６２のメネジを支持架台のボルト部３２に螺合し高さ調整し、パネル受け具６の受け部６１に複合パネル８を載せる工程までは実施の形態１と同じであるが、その後は、実施の形態１において増し張り防水シート９を載せた位置と同位置の複合パネル８上に樹脂被覆鋼板１０を載置し、パネル固定ビス６３で樹脂被覆鋼板の上から複合パネル８をパネル受け具６の受け部６１に固定し、樹脂被覆鋼板１０端部とパネル固定ビスの頭部周りをシーラーＢ１０１で防水処理する構成である。
図２では、パネル受け具６は、鋼板をナット部に溶接した形状になっている。もちろん実施の形態１に記載したものを使用することができる。
複合パネル８上に、厚みが０．５〜２ｍｍ、幅が樹脂被覆鋼板１０より狭く４０〜６０ｍｍの粘着テープ４を張り合わせた後、樹脂被覆鋼板１０を固定することが好ましい。粘着テープ４を貼り合わせることにより防水性が一段と向上する。粘着テープ４としては、ブチル系、アクリル系、ＥＶＡ系などの片面又は両面粘着テープがあるが、防水性の点ではブチル系両面粘着テープが好ましい。
【００２０】
上記樹脂被覆鋼板１０は、厚み１．０〜２．０ｍｍ、幅５０〜７０ｍｍのものが使用でき、被覆される樹脂は、複合パネル８の溶着樹脂層と同質または同種の樹脂がよい。
【００２１】
上記シーラーＢ１０１としては、シーラーＡ５２と同様に、樹脂被覆鋼板１０の被覆樹脂層と同質または同種の樹脂からなるシーラー、或いはウレタン系、変性シリコン系、シリコン系、ブチル系などのシーラーが挙げられる。
【００２２】
［実施の形態３］
図３に実施の形態３を示す。実施の形態３では、実施の形態１で使用したパネル受け具６の替わりに、パネル用長尺受け具７を用いるもので、支持架台３を取り付ける工程までは実施の形態１と同じため図３では、防水下地に固定するまでの増し張りシート等の部材は省略してある。この形態は支持架台３のボルト部３２に高さ調整しながら、パネル用長尺受け具７を固定し、パネル用長尺受け具７上に複合パネル８を載置し、ドリルビス７５で複合パネル８の上から複合パネル８をパネル用長尺受け具７に固定し、隣り合う複合パネル８の目地部を増し張り防水シート９で覆い防水処理を施す構成である。１本のパネル用長尺受け具７は複数個の支持架台３に固定される。複合パネル８の幅に見合う間隔を開けて複数のパネル用長尺受け具７を平行に固定できるように、支持架台３を位置決めして防水下地１に固定しておく必要がある。
支持架台３の取り付け工程までは実施の形態１と同じであるが、その後は、支持架台３のボルト部３２にパネル用長尺受け具７を固定するものであり、パネル用長尺受け具７の固定方法としては、図３のように支持架台３のボルト部３２に長尺ナット７１を螺合しながら高さ調整し、下面にビス用の穴を開けたパネル用長尺受け具７を長尺ナット上端に載せ、ビス用穴を通して固定ボルト７２で固定する方法がある。また、別の態様として、図４のように支持架台３のボルト部３２に支持架台３のボルト部３２が突出するように第一のナット７３を高さ調整しながら螺合し、ボルト部３２が通るように穴を開けたパネル用長尺受け具７を第一のナット７３まで差込み第二のナット７４を支持架台３のボルト部３２に螺合して固定する方法などがある。図４は、図３の右又は左半分を示し長尺ナット７１と固定ボルト７２の替わりに第一のナット７３と第二のナット７４を使用しており、図３と同じ符号のものは一部省略している。
パネル用長尺受け具７を固定後、平行に固定した隣り合うパネル用長尺受け具７に複合パネル８を、目地幅として２〜１０ｍｍ開けながら順次置いていく。目地には発泡ポリエチレン、ゴム、ウレタン、塩ビ樹脂等の合成樹脂製やガラス不織布製等の緩衝目地材８２を装填することが好ましい。
次いで、複合パネル８をドリルビス７５でパネル用長尺受け具７に固定し、実施の形態１と同様に複合パネル８の目地部に前記緩衝目地テープ９１を張った後、増し張り防水シート９と複合パネル８を加熱溶着、溶剤溶着等で溶着接合し、防水処理を行う。
【００２３】
上記パネル用長尺受け具７には、平鋼、角パイプ、溝型鋼、リップ溝型鋼等の鋼材が使用でき、支持架台３のボルト部３２又は固定ボルト７２のネジ径より大きな穴を所定位置にあけてから用いる。
パネル用長尺受け具７が平鋼の場合、固定ボルト７２の頭部、第二のナット７４がパネル用長尺受け具７の上面に出るため、固定ボルト７２の頭部、第二のナット７４が収まるように複合パネル８の四隅を切除するか、複合パネル８の間隔をあける必要がある。パネル用長尺受け具７が溝型鋼、リップ溝型鋼の場合、溝を上にして使用すれば、固定ボルト７２の頭部、第二のナット７４は溝内に収まる。溝型鋼の場合、ドリルビス７５は下面部に固定でき、リップ溝型鋼の場合、ドリルビス７５はリップ部及び／又は下面部に固定できる。パネル用長尺受け具７が角パイプの場合、上面部に固定ボルト７２の頭部又は第二のナット７４が挿入できる穴を開ける必要がある。
パネル用長尺受け具７は施工性、強度を考慮するとリップ溝型鋼が好ましく、鋼材の厚みが１．２〜２．３ｍｍ、幅が４０〜１００ｍｍ、長さが１８００〜４０００ｍｍのものがよい。
【００２４】
上記ドリルビス７５は、鋼板に下穴をあけるとともに、タップ立て、締め付けが同時にできるものでセルフドリリングスクリューとも云われ、頭部の形状にはナベ、座付六角、皿、丸皿、平、座付ナベなどがあるが、平、皿形状のものが好ましい。ドリルビス７５の替わりに架台固定ビス、パネル固定ビスと同様のビスを使用することもできるが、パネル用長尺受け具７に下穴、ネジ切等を施すなどの手間が増える。
【００２５】
複合パネル８の受け具を長尺にすることにより、支持架台位置で複合パネル８を固定する必要性がなくなり、パネル用長尺受け具７のどの位置での固定も可能となり、施工性が向上するばかりでなく、図６のように千鳥格子状に複合パネル８を固定でき見栄えを良くすることができる。
【００２６】
［実施の形態４］
上記実施の形態３の増し張り防水シート９の替わりに、実施の形態２と同様に樹脂被覆鋼板１０を使用して防水処理を施す構成である。
【産業上の利用可能性】
【００２７】
本発明の浮き床構造は、支持架台の台座で熱可塑性樹脂製防水シートを固定するので、熱可塑性樹脂製防水シートと支持架台の下地への固定を同時に行うことができ、部材の削減、工数の低減が図れる。また、支持架台の台座とボルト部下部が熱可塑性樹脂で被覆されているため、増し張りシートで支持架台の台座及び防水シートに加熱溶着または溶剤溶着することができ、その接合は強化され、防水性が充分に確保できる。加えて、隣り合う複合パネルの間を防水処理することにより、防水シート面での防水、複合パネル表面での防水と防水構造を２重にし、防水性を長期間確保することができ、さらに、複数の支持架台と長尺パネル受け具が連結する構造では、浮き床構造としての下地への固定強度が増強され耐久性が増すため、ビルの屋上防水工事など広く利用できる。
【図面の簡単な説明】
【００２８】
【図１】本発明に関する［実施の形態１］を示す断面図である。
【図２】本発明に関する［実施の形態２］を示す断面図である。
【図３】本発明に関する［実施の形態３］を示す断面図である。
【図４】本発明に関する［実施の形態３］の他の態様を示す断面図である。
【図５】本発明に関する支持架台及び複合パネルの配置を示す平面図である。
【図６】本発明に関する支持架台及び複合パネルの配置の他の態様を示す平面図である。
【図７】本発明に関する増し張り防水シート施工状況を示す説明図である。
【図８】支持架台及び増し張りシート施工の説明図である。
【符号の説明】
【００２９】
１          防水下地
２          熱可塑性樹脂製防水シート
３          支持架台
３１      台座
３１１  ビス穴
３１２  架台固定ビス
３２      ボルト部
３３      被覆樹脂層
４          粘着テープ
５          増し張りシート
５１      増し張りシートの略中央の穴
５２      シーラーＡ
６          パネル受け具
６１      受け部
６２      ナット部
６３      パネル固定ビス
７          パネル用長尺受け具
７１      長尺ナット
７２      固定ボルト
７３      第一のナット
７４      第二のナット
７５      ドリルビス
８          複合パネル
８１      溶着樹脂層
８２      緩衝目地材
９          増し張り防水シート
９１      緩衝目地テープ
１０          樹脂被覆鋼板
１０１    シーラーＢ
【図１】
2010037909.tif 000003
【図２】
2010037909.tif 000004
【図３】
2010037909.tif 000005
【図４】
2010037909.tif 000006
【図５】
2010037909.tif 000007
【図６】
2010037909.tif 000008
【図７】
2010037909.tif 000009
【図８】
2010037909.tif 000010